(57)【要約】【課題】容器本体を弾性収縮力のある筒状体により構成することにより構造が簡単でしかも安価で耐久性のある消火器を得る。【解決手段】消火剤を充填するための容器本体と、該容器本体内の消火剤を外部に向けて放射する操作ヘッドとからなり、容器本体は弾性収縮力のある有底筒状体であって、しかも該筒状体には外周側面方向への膨張を規制する手段が施されている。  これにより消火器の構造を簡素化して大幅なコストの低減をはかるとともに、ガス圧による爆発等の事故に至る危険をなくし、また火災発生に際しての作動を確実にし、かつ容器本体の外周側面方向への過膨張を規制して設置性を良好にするとともに長期間の設置に十分耐える耐久性を維持することができる。【選択図】図１
2004166792.tif 000002
【特許請求の範囲】
【請求項１】
消火剤を充填するための容器本体と、該容器本体内の消火剤を外部に向けて放射する操作ヘッドとからなり、容器本体は弾性収縮力のある有底筒状体であって、しかも該筒状体には外周側面方向への膨張を規制する手段が施されていることを特徴とした消火器。
【請求項２】
筒状体に施されたところの、外周側面方向への膨張を規制する手段が、筒状体の周壁肉内に樹脂繊維網あるいはワイヤー網を埋設したものであるところの請求項１に記載の消火器。
【請求項３】
筒状体に施されたところの、外周側面方向への膨張を規制する手段が、筒状体の周壁肉内に、少なくとも複数本以上の樹脂繊維糸あるいはワイヤーを比較的大きめの角度で交差状態に埋設されているものであるところの請求項１に記載の消火器。
【請求項４】
筒状体に施されたところの、外周側面方向への膨張を規制する手段が、筒状体の周壁肉内に、螺旋状のバネ材を筒状体の長さ方向に向けて埋設されているものであるところの請求項１に記載の消火器。
【請求項５】
筒状体に施されたところの、外周側面方向への膨張を規制する手段が、弾性収縮力のある容器本体の外周側面に、金属あるいは樹脂製その他硬質材の筒体を被せたものであるところの請求項１に記載の消火器。
【請求項６】
筒状体に施されたところの、外周側面方向への膨張を規制する手段が、弾性収縮力のある容器本体を収容した外容器であるところの請求項１に記載の消火器。
【請求項７】
筒状体に施されたところの、外周側面方向への膨張を規制する手段が、弾性収縮力のある容器本体の外周側面に樹脂繊維網あるいはワイヤー網により加工した筒状体を被せたものであるところの請求項１に記載の消火器。
【発明の詳細な説明】
【０００１】
【発明の属する技術分野】
本発明は簡単で安価な消火器に関し、消火剤放射のための圧力ガスボンベや、サイフォン管などを不要とするとともに、非常時における作動の確実性を保持させ、しかも膨張時における十分な保形性を維持して耐久性を向上させることを目的とする。
【０００２】
【従来の技術】
汎用されている消火器は一般的に、消火剤を充填する有底の管胴部と、該管胴部の上方に取り付けられる操作ヘッド部とからなり、管胴部内には液体や粉末などの消火剤のほかに、これらを外部に圧送する小型のガスボンベや、ガス圧により消火剤を操作ヘッド部へ圧送するサイフォン管を備え、また操作ヘッド部には管胴部内の小型ガスボンベを開封し、管胴部内の圧力を増大させる操作レバーや、消火対象域に向けて消火剤を放射させる放射ホースなどを有する。
【０００３】
【発明が解決しようとする課題】
しかしながら、上記した汎用の消火器は機構上の複雑さから必然的にコスト高となるのみならず、長期間にわたる設置によりガスボンベや管胴部まわりに経時的に発錆して使用に際して圧力不足を生じ、非常時の使用に役立たないこともある。  また内部腐食などにより容器の強度不足を生じ、ガス圧による爆発等の事故に至る危険もある。
【０００４】
【課題を解決するための手段】
そこで本発明は、上記した課題を解決し、消火器の構造を簡素化するとともに、火災発生に際して確実に作動するようにし、しかも長期間の設置に十分耐えるべく構成したものであって、具体的には請求項１の発明は消火剤を充填するための容器本体と、該容器本体内の消火剤を外部に向けて放射する操作ヘッドとからなり、容器本体は弾性収縮力のある有底筒状体であって、しかも該筒状体には外周側面方向への膨張を規制する手段が施されていることを特徴とした消火器に関する。
【０００５】
また請求項２の発明は、筒状体に施されたところの、外周側面方向への膨張を規制する手段が、筒状体の周壁肉内に樹脂繊維網あるいはワイヤー網を埋設したものであるところの請求項１に記載の消火器に関する。  さらに請求項３の発明は、筒状体に施されたところの、外周側面方向への膨張を規制する手段が、筒状体の周壁肉内に、少なくとも複数本以上の樹脂繊維糸あるいはワイヤーを、比較的大きい角度で交差させて埋設されているものであるところの請求項１に記載の消火器に関する。
【０００６】
さらに請求項４の発明は、筒状体に施されたところの、外周側面方向への膨張を規制する手段が、筒状体の周壁肉内に、螺旋状のバネ材を筒状体の長さ方向に向けて埋設されているものであるところの請求項１に記載の消火器に関する。
【０００７】
さらに請求項５の発明は、筒状体に施されたところの、外周側面方向への膨張を規制する手段が、弾性収縮力のある容器本体の外周側面に、金属あるいは樹脂製その他硬質材の筒体を被せたものであるところの請求項１に記載の消火器に関する。  さらに請求項６の発明は、筒状体に施されたところの、外周側面方向への膨張を規制する手段が、弾性収縮力のある容器本体を収容した外容器であるところの請求項１に記載の消火器に関する。
【０００８】
さらに請求項７の発明は、筒状体に施されたところの、外周側面方向への膨張を規制する手段が、弾性収縮力のある容器本体の外周側面に樹脂繊維網あるいはワイヤー網により加工した筒状体を被せたものであるところの請求項１に記載の消火器に関する。
【０００９】
上記した各構成において、容器本体内に消火剤が充填されつつ膨張するが、筒状体には外周側面方向への膨張を規制する手段が施されているために、筒状体の外周面方向への膨張が限界に達した以降は筒状体の長さ方向に伸びることはできても、所定の筒状形状以上に外周面方向に過剰に膨張することがない。
【００１０】
【発明の実施の形態】
以下において、本発明の具体的な内容を図示した実施例をもとに説明すると、図１〜３には本発明の第１実施例である消火器の構造が示されている。  同図において、１は消火剤を充填するための弾性収縮力のある有底筒状体からなる容器本体、５は容器本体１内の消火剤（図示省略）を外部に向けて放射する操作ヘッドをあらわしている。
【００１１】
操作ヘッド５は鋳物などの金属材により構成され、下部には下端にバルブ８ａを有した弁棒８を貫通させたバルブ取付部６を有するとともに、上部にはピン７ａを介して自由端を上下方向に可動させることの可能な操作レバー７を有し、しかも該操作レバー７のピン７ａ寄りの位置に、前記した弁棒８の上端部を回動自在に取り付けてある。
【００１２】
なお図において９は、一端を上記バルブ取付部６に取り付けた放射用のホースをあらわす。  かかる構成において容器本体１内に消火剤を充填して膨らませる（図１の実線参照）と、バルブ８ａはバルブ取付部６の内面に押圧され、ゴムなどのＯリングにより気密に保持されるとともに、消火剤の放射後における容器本体１ａは，図１に鎖線であらわした形状に収縮する。
【００１３】
また容器本体１はゴムやウレタン等の柔軟な樹脂材などの材質からなり、弾性収縮力のある有底の筒状体により構成され、長さ方向の上端部には内部を開口させるとともに外周縁に螺子部（図示省略）を設けた取付部２を有する。
【００１４】
なお容器本体１は、加工性を良好にし、低コスト化をはかるために両端を開口させたチューブ状のものを使用することができる。  この場合にはチューブ状の容器本体１の一端を操作ヘッドに取り付けるとともに、他端低部を適当な生息手段、たとえば底部開口部内に挿入される栓体と、容器本体底部外周側から上記栓体に対して気密に締め付け固定する締め付けバンドとにより閉塞して有底の容器として使用する。
【００１５】
さらに容器本体１を構成する筒状体には、外周側面方向への膨張を規制する手段が施されている。  すなわち、外周側面方向への膨張を規制する手段としては、筒状体の周壁肉内に、少なくとも複数本の無端環状をした樹脂繊維糸３ａ〜３ｅ、および３ｆ〜３ｊが、相互に並行に配した３ａ〜３ｅ群と、同じく相互に並行に配した３ｆ〜３ｊ群とを、比較的大きな角度にて交差させるべく、筒状体の円周方向に対して各樹脂繊維糸群の環状片側を取付部２寄りにするとともに、反対側を底部寄りに位置させるべく傾斜方向に埋設されている。
【００１６】
このような構成とすることにより、容器本体１である筒状体を膨張させた場合には、図３にあらわしたように、筒状体が膨張するにつれて樹脂繊維糸３ａ〜３ｅ群と３ｆ〜３ｊ群との交差角度が次第に小さくなりつつ筒状体が外周側面方向および底面方向に向けて膨張し、各樹脂繊維糸３ａ〜３ｅ群と３ｆ〜３ｊ群の伸延限界に達したところで、それ以上の外周側面方向への膨張が規制阻止される。
【００１７】
なおこの場合には樹脂繊維糸を用いたが、ワイヤーや、ある程度の強度を有するゴム、あるいはその他の適度の伸長限界を有する線状体を用いることができる。  また筒状体の周壁肉内に樹脂繊維あるいはワイヤーなどの網状体を埋設するようにしてもよい。
【００１８】
また図４〜５には本発明の第２実施例が示されている。  この場合には容器本体１を構成する筒状体に施されたところの、外周側面方向への膨張を規制する手段が、筒状体の周壁肉内に、螺旋状のバネ材４を筒状体の長さ方向に向けて埋設してある。
【００１９】
これにより容器本体１である筒状体を膨張させた場合には、図５にあらわしたように、筒状体が膨張するにつれて外周側面方向へは多少膨張するものの、それ以上の膨張が規制され、さらにバネ材４の弾発力に抗してバネ材４を筒状体の底部方向に引伸ばしながら殆ど筒状体の長さ方向に向けて膨張し、バネ材４の伸長限界に達したところで、それ以上の長さ方向への膨張が規制阻止される。
【００２０】
また本発明の第３実施例として図６にあらわしたように、筒状体に施されたところの、外周側面方向への膨張を規制する手段について、弾性収縮力のある容器本体１の外周側面に、樹脂繊維網あるいはワイヤー網により加工した筒状体１０を被せるようにし、あるいは金属あるいは樹脂製その他硬質材の筒体（図示省略）を被せるようにしてもよい。
【００２１】
さらに、図示はしていないが、筒状体に施されたところの、外周側面方向への膨張を規制する手段として、弾性収縮力のある容器本体を収容し、かつ内部で十分に膨張可能な容積を有する外容器を用意し、その中に容器本体１を収容するようにしてもよい。
【００２２】
上記した各実施例の構成において、容器本体１内に消火剤を充填しつつ十分に膨張させる。  この場合に容器本体１の筒状体は外周側面方向への膨張を規制する手段により一定以上の過剰な膨張が抑制され、さらにその上部取付部２に操作ヘッド５を取り付けて非常時に備えて設置する。  使用に際しては操作ヘッド５の操作レバー７を操作して消火剤が充填されている容器本体１の開口部を開口させると、弾性収縮力のある容器本体１の収縮力により内容物である消火剤が操作ヘッド５へと圧送され、さらに該操作ヘッド５から放射用ホース９により外部に向けて放射される。
【００２３】
【発明の効果】
本発明は上記した通り、消火剤を充填するための容器本体と、該容器本体内の消火剤を外部に向けて放射する操作ヘッドとからなり、容器本体は弾性収縮力のある有底筒状体であって、しかも該筒状体には外周側面方向への膨張を規制する手段が施されているために、消火器の構造を簡素化して大幅なコストの低減をはかるとともに、ガス圧による爆発等の事故に至る危険をなくし、また火災発生に際しての作動を確実にし、かつ容器本体の外周側面方向への過膨張を規制して設置性を良好にするとともに長期間の設置に十分耐える耐久性を維持することができる。
【図面の簡単な説明】
【図１】本発明の第１実施例である消火器の断面図。
【図２】本発明の第１実施例である容器本体の側面図および中央縦断面図。
【図３】第１実施例の容器本体の膨張時の状態をあらわした側面図。
【図４】本発明の第２実施例である消火器用容器本体の側面図および中央縦断面図。
【図５】第２実施例の容器本体の膨張時の状態をあらわした側面図。
【図６】本発明の第３実施例である消火器用容器本体の膨張時の状態をあらわした側面図。
【符号の説明】
１        容器本体
２        取付部
３        樹脂繊維糸
４        バネ材
５        操作ヘッド
６        バルブ取付部
７        操作レバー
７ａ      ピン
８        弁棒
８ａ      バルブ
９        放射用ホース
１０      筒状体
【図１】
2004166792.tif 000003
【図２】
2004166792.tif 000004
【図３】
2004166792.tif 000005
【図４】
2004166792.tif 000006
【図５】
2004166792.tif 000007
【図６】
2004166792.tif 000008